(57)【要約】【課題】映像・音声処理装置にＨＤＭＩケーブルを介して接続された機器に、ＨＤＭＩ非対応の機器から入力される信号を、映像・音声処理装置の側からの制御で切り換えることができるようにする。【解決手段】この映像・音声処理装置は、ＨＤＭＩ対応機器に接続されたＨＤＭＩケーブルが接続可能なＨＤＭＩ端子と、前記ＨＤＭＩのＣＥＣ規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の入力端子とを切り換えるスイッチの切り換え制御を行う制御ユニットとを備える。【選択図】図１
2011217126.tif 000002
【特許請求の範囲】
【請求項１】
ＨＤＭＩ（High-Definition Multimedia Interface）対応の機器に接続されたＨＤＭＩケーブルが接続可能なＨＤＭＩ端子と、
前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の入力端子とを切り換えるスイッチの切り換え制御を行う制御ユニットと
を具備することを特徴とする映像・音声処理装置。
【請求項２】
ディスプレイと、
前記機器に対し、他の機器からの入力信号の入力端子を切り替るための機器操作メニューを前記ディスプレイに表示する表示制御ユニットと
を具備することを特徴とする請求項１記載の映像・音声処理装置。
【請求項３】
リモコンまたは装置本体に設けられた操作部からの前記機器の入力切換操作による制御信号を受け付ける受付ユニットを備え、
前記表示制御ユニットは、
前記受付ユニットにより受け付けられた制御信号に従い、前記機器操作メニュー画面で入力切換操作がなされた前記機器の入力端子を切り換える制御コマンドを送信することを特徴とする請求項２記載の映像・音声処理装置。
【請求項４】
前記表示制御ユニットは、
前記機器の入力端子をサイクリックに切り換えるための制御コマンドを送信することを特徴とする請求項３記載の映像・音声処理装置。
【請求項５】
前記機器操作メニュー画面に、前記ＨＤＭＩ対応機器間で入力切換の操作権を相互に切り替えるための項目を設けたことを特徴とする請求項２記載の映像・音声処理装置。
【請求項６】
前記ＨＤＭＩ非対応の入力端子が、アナログ音声信号の入力端子であることを特徴とする請求項１記載の映像・音声処理装置。
【請求項７】
ＨＤＭＩ（High-Definition Multimedia Interface）対応の機器に接続されたＨＤＭＩケーブルが接続可能なＨＤＭＩ端子を有する映像・音声処理装置における映像・音声処理方法であって、
前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の入力端子とを切り換えるスイッチの切り換え制御を行うことを特徴とする映像・音声処理方法。
【発明の詳細な説明】
【技術分野】
【０００１】
本発明は、映像・音声などの信号を処理するデジタルインターフェースを有する映像・音声処理装置および映像・音声処理方法に関する。
【背景技術】
【０００２】
近年、映像・音声処理装置としてのテレビジョン受信機は高機能化され、映像・音声信号と制御信号とを１本のケーブルで送受信できるデジタルインターフェース（例えば、ＨＤＭＩ（High-Definition Multimedia Interface）入力端子）を備えたものが商品化されている。High-Definition Multimedia InterfaceおよびＨＤＭＩは登録商標である。
【０００３】
ＨＤＭＩケーブルには、機器間でコマンドを送受信するためのＣＥＣ（Consumer Electronics Control）制御線が設けられている。このＣＥＣでは、各ベンダーに共通するコマンド（制御信号）が規定されている他、各ベンダーが製品の機能を拡張できるように独自にコマンドを規定することもできる仕様となっている。
【０００４】
ＣＥＣ制御線を用いてＨＤＭＩ対応機器を制御する技術として、例えばＴＶにＨＤＭＩケーブルを介して外部機器（ＳＴＢ：セットトップボックス）を接続したときに、ＣＥＣ制御線を通じて制御信号をやりとりすることで、ＳＴＢを入力切換のメニューの選択項目の一つに載せ、ＴＶのリモコンから外部接続機器であるＳＴＢを操作可能にした技術がある（例えば特許文献１参照）。
【先行技術文献】
【特許文献】
【０００５】
【特許文献１】特開２００９−１２４５３５号公報（段落［００２７］〜［００２９］、［００３６］，［００３７］、［００４５］〜［００４８］等）
【発明の概要】
【発明が解決しようとする課題】
【０００６】
ところで、近年では、ＡＶセレクタやＡＶアンプなどの外部機器にもＨＤＭＩ端子が設けられ、ＴＶとＤＶＤプレーヤ等のソース機器を、ＡＶアンプを介して接続するシステム構成が可能になってきた。
【０００７】
ＡＶアンプには、ＨＤＭＩ端子の他に、ＨＤＭＩ規格に非対応の機器を接続するためのアナログ信号の入力端子（例えばアナログ音声信号などを入力する端子も通常設けられている。
【０００８】
しかしながら、ＨＤＭＩ端子を持つＡＶアンプの場合、ＴＶ側からのＣＥＣ制御で切り換えられるものは、ＨＤＭＩ端子に接続された機器に限定されるため、ＨＤＭＩ規格に非対応の機器からＡＶアンプに入力される音声信号を切り換えるには、ＡＶアンプを直接操作するしかなく、せっかくのＣＥＣ制御機能が生かしきれないという問題がある。
【０００９】
本発明はこのような課題を解決するためになされたもので、映像・音声処理装置にＨＤＭＩケーブルを介して接続された外部機器に、ＨＤＭＩ規格に非対応の機器から入力される信号を映像・音声処理装置の側からの制御で切り換えることができる操作性のよい映像・音声処理装置および映像・音声処理方法を提供することを目的とする。
【課題を解決するための手段】
【００１０】
本発明の一実施形態に係る映像・音声処理装置は、ＨＤＭＩ（High-Definition Multimedia Interface）対応の機器に接続されたＨＤＭＩケーブルが接続可能なＨＤＭＩ端子と、前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の入力端子とを切り換えるスイッチの切り換え制御を行う制御ユニットとを具備することを特徴とする。
【００１１】
本発明の一実施形態に係る映像・音声処理方法は、ＨＤＭＩ（High-Definition Multimedia Interface）対応の機器に接続されたＨＤＭＩケーブルが接続可能なＨＤＭＩ端子を有する映像・音声処理装置における映像・音声処理方法であって、前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の入力端子とを切り換えるスイッチの切り換え制御を行うことを特徴とする。
【発明の効果】
【００１２】
本発明によれば、映像・音声処理装置にＨＤＭＩケーブルを介して接続された機器に、ＨＤＭＩ非対応機器から入力される信号を、映像・音声処理装置の側からの制御で切り換えることができる操作性のよい映像・音声処理装置および映像・音声処理方法を提供することができる。
【図面の簡単な説明】
【００１３】
【図１】本発明の一実施形態のＴＶシステムの構成を示す図である。
【図２】このＴＶシステムにおいて入力切換動作の際の画面遷移を示す図である。
【図３】このＴＶシステムにおいて各ＨＤＭＩ機器の機器操作メニューから操作権を他へ直接移す際の画面遷移を示す図である。
【発明を実施するための形態】
【００１４】
以下、図面を参照して、本発明の映像・音声処理装置の一つの実施の形態のテレビジョンシステム（以下「ＴＶシステム」と称す）を詳細に説明する。図１はＴＶシステムの構成を示す図である。
【００１５】
図１に示すように、この実施形態のＴＶシステムは、映像表示用のディスプレイ３７と、受付ユニット９０、Sony Philips Digital InterFace端子２０（以下「Ｓ／ＰＤＩＦ端子２０」と称す）等の音声出力端子と、ディスプレイ３７およびＳ／ＰＤＩＦ端子２０へ出力する情報を生成する機能部品を収容したＴＶ筐体１と、このＴＶ筐体１に設けられた外部接続用のＨＤＭＩ入力端子１８，１９とを有する。受付ユニット１０は、リモートコントローラ９０（以下「リモコン９０」と称す）またはＴＶ筐体１（装置本体）に設けられた操作部からの、機器（ＡＶアンプ５０やレコーダ４等）に対する入力切換操作による制御信号を受け付ける。
【００１６】
なお、ＨＤＭＩ入力端子１８，１９にＨＤＭＩケーブル５，６，７を介して接続されるＨＤＭＩ対応の機器をＨＤＭＩ機器と称す。この例では、ＡＶアンプ５０およびこのＡＶアンプ５０にＨＤＭＩケーブル７を介して接続されたレコーダ４などがＨＤＭＩ機器である。
【００１７】
また、ＴＶ筐体１やＡＶアンプ５０のＨＤＭＩ入力端子１８，１９，５７は一つや二つとは限らず３つ設けてもよい。Ｓ／ＰＤＩＦは音声のデジタル信号を入出力するための機器間のインターフェース規格である。
【００１８】
ＴＶ筐体１内には、ＨＤＭＩ入力端子１８から内部配線用のＨＤＭＩケーブル５が接続され、ＴＶユニット３へ配線されている。ＴＶ筐体１内には、ＨＤＭＩ入力端子１９から内部配線用のＨＤＭＩケーブル６が接続され、ＴＶユニット３へ配線されている。
ＨＤＭＩケーブル５，６には、ＣＥＣ制御線１３、映像・音声のデータ線１７の他、ホットプラグ検出線（ＨＰＤ線）、＋５Ｖ電源線等が含まれる。ＨＰＤ線は制御装置３０から各ＨＤＭＩ機器へＨＰＤ信号が送られる線である。＋５Ｖ電源線は電源投入されたＨＤＭＩ機器から制御装置３０へ＋５Ｖの電圧が印加される線である。
【００１９】
ＣＥＣ制御線１３は、１本の配線を分岐させてＡＶアンプ５０と制御装置３０とに接続されている。ＡＶアンプ５０と制御装置３０間でＣＥＣ制御線１３を介してコマンド（各種制御コマンド）をやりとりすることで、ＨＤＭＩケーブル５，６，７で接続された機器の検出と動作制御、信号切換制御などを行うことができる。
【００２０】
ＣＥＣ制御線１３で送受されるコマンドとしては、例えば個々のベンダーで個別の機能制御などに利用するためのベンダーコマンド、デッキコントロールコマンド、プレイフォワードコマンド、アクティブソースコマンドなどがある。ベンダーコマンド、デッキコントロールコマンドおよびプレイフォワードコマンドはダイレクトコマンドであり、宛先を特定したコマンドである。ベンダーコマンドは、ベンダー独自の制御コマンドであり、例えばリモコン９０からＡＶアンプ５０に対する信号切換動作を行わせるためのコマンド等である。
【００２１】
ＴＶユニット３は、制御装置３０、内部配線のＨＤＭＩケーブル５が接続されたＨＤＭＩレシーバ３２、アンテナに接続されたＴＶチューナー３５、映像・音声処理ユニット３６、ディスプレイ３７などを有している。
【００２２】
ＨＤＭＩレシーバ３２は、ＨＤＭＩ入力端子１８（ＨＤＭＩケーブル５）への外部機器（ＡＶアンプ５０）の接続を検出し、接続が検出されたＡＶアンプ５０やその先に接続されるレコーダ４に対するＨＰＤ信号をde-assert（停止状態）からAsserted（アクティブな状態）へ変化させる。ＨＰＤ信号は、ＨＤＭＩケーブル５，７のＨＰＤ線を通じてＡＶアンプ５０へ送られる。
【００２３】
ＴＶチューナー３５は、アンテナから入力されたテレビジョン放送を受信し、受信した番組の映像・音声を映像・音声処理ユニット３６に出力する。ＴＶチューナー３５は、デジタルチューナーまたはアナログチューナーの少なくとも一方を備える。また、デジタルチューナーまたはアナログチューナーは、それぞれ複数実装されていてもよい。
【００２４】
映像・音声処理ユニット３６は、ＴＶチューナー３５から入力される映像・音声のデジタルデータまたはアナログ信号、およびＨＤＭＩレシーバ３２から入力される映像・音声のデジタルデータをそれぞれ再生する。
【００２５】
映像・音声処理ユニット３６は、制御装置３０により制御されて、ＴＶチューナー３５とＨＤＭＩレシーバ３２からそれぞれ入力されるデータまたは信号を切り換えてディスプレイ３７およびＳ／ＰＤＩＦ４０へ出力する。また、映像・音声処理ユニット３６は、ＣＥＣ連動設定の選択画面をディスプレイ３７に表示する。
【００２６】
ユーザは、ディスプレイ３７に表示されたＣＥＣ連動設定の選択画面にて、リモコン９０やＴＶ筺体１に設けられた図示しない操作ボタンを操作してＣＥＣ連動設定のＯＮ（使用）またはＯＦＦ（不使用）のいずれかを選択すると、制御装置３０のシステム制御ユニット３１が、メモリ３４にＣＥＣ連動設定（ＯＮ（使用）またはＯＦＦ（不使用））を設定する。マルチ画面表示機能を有する場合、映像・音声処理ユニット３６は、分割した複数の画面にそれぞれに異なる入力ソース（映像ソース）を表示するよう再生処理する。
【００２７】
ディスプレイ３７は、映像・音声処理ユニット３６により再生処理された映像を画面に表示する。Ｓ／ＰＤＩＦ端子２０は、映像・音声処理ユニット３６により再生処理された音声信号を外部へ出力する端子である。Ｓ／ＰＤＩＦ端子２０は、同軸ケーブルまたは光ファイバーケーブルを介してＡＶアンプ５０の端子５５に接続されている。
【００２８】
制御装置３０は、システム制御ユニット３１と、ＣＥＣ制御ユニット３３と、メモリ３４とを有している。
メモリ３４には、ＣＥＣ連動設定（ＯＮ（使用）またはＯＦＦ（不使用）の内容、つまりＣＥＣ連動設定データが記憶される。すなわち、メモリ３４には、ＨＤＭＩ機器に対するＣＥＣ制御線１３を通じた機器制御機能（ＣＥＣ制御機能）の「使用」または「不使用」のいずれかの設定データが記憶されている。
【００２９】
またメモリ３４には、各ＨＤＭＩ機器が取得可能な論理アドレス「０」〜「１５」および各ＨＤＭＩの物理アドレス「１．０．０．０」、「２．０．０．０」、ＨＤＭＩ機器の物理アドレス、この例ではＡＶアンプ５０やレコーダ４の物理アドレス等が記憶される。
【００３０】
ＨＤＭＩ機器に付与される物理アドレスは機器固有のものではなく、当該機器の接続位置（接続ポート）に応じて制御装置３０のＣＥＣ制御ユニット３３が決定し、各機器へ付与する。ＨＤＭＩケーブル５が接続されるＨＤＭＩレシーバ３２のポートの物理アドレスが、例えばＨＤＭＩ１（１．０．０．０）であれば、そのポートに外部接続されるＡＶアンプ５０には、ＨＤＭＩ１−１（１．１．０．０）が付与され、ＡＶアンプ５０に接続されたＨＤＭＩ機器であるレコーダ４には、ＨＤＭＩ１−２（１．２．０．０）が付与される。
【００３１】
システム制御ユニット３１は、受付ユニット１０で受け付けられたリモコン操作のコマンドに応じたＴＶユニット３内部の制御を行うと共に、リモコン操作のコマンド（ＡＶアンプ５０に対する信号切換操作のコマンド、階層構造の各メニューへ切り換えのコマンド、ＣＥＣ連動設定の選択操作のコマンド等）をＣＥＣ制御ユニット３３に渡す。すなわちシステム制御ユニット３１は、受付ユニット１０により受け付けられた制御信号に従い、機器操作メニュー画面で入力切換操作がなされた機器の入力端子を切り換える制御コマンドを送信する。制御コマンドは、機器の入力端子をサイクリックに切り換えるためのものである。
【００３２】
システム制御ユニット３１は、ＨＤＭＩのＣＥＣ規格に準拠した制御コマンドを、ＨＤＭＩの端子であるＨＤＭＩ入力端子１８からＨＤＭＩケーブル７を通じてＨＤＭＩ機器であるＡＶアンプ５０へ送ることで、ＡＶアンプ５０に設けられたＨＤＭＩ対応の入力端子であるＨＤＭＩ入力端子５７とＨＤＭＩ非対応の入力端子である入力端子５５，５６とを切り換えるスイッチ５１の切り換え制御を行う制御ユニットとして機能する。
【００３３】
また、システム制御ユニット３１は、外部接続された機器（ＡＶアンプ５０、レコーダ４など）に対し、他の機器からの入力信号の入力端子を切り替るための機器操作メニューをディスプレイ３７に表示する表示制御ユニットとして機能する。
【００３４】
ＣＥＣ制御ユニット３３は、受け取ったコマンドに応じてＨＤＭＩケーブル５からの共通の制御線であるＣＥＣ制御線１３を通じて各ユニットを制御する。
受け取ったコマンドが、例えばレコーダ４へのビデオ映像の再生操作のコマンドであれば、システム制御ユニット３１は、映像・音声処理ユニット３６を制御してレコーダ４から入力される映像・音声のデータを再生処理させ、映像信号をディスプレイ３７に出力させ、音声信号をＳ／ＰＤＩＦ端子２０へ出力させる。
【００３５】
また、ＡＶアンプ５０に対する信号切り換え操作のコマンドであれば、ＣＥＣ制御ユニット３３は、ＡＶアンプ５０へ信号切り換えのためのコマンドを、ＣＥＣ制御線１３を通じてＡＶアンプ５０へ送信し、ＡＶアンプ５０のスイッチ５１を切り換える。
【００３６】
この際、ＣＥＣ制御ユニット３３は、メモリ３４の設定データを確認し、ＣＥＣ連動設定が「ＯＮ」、つまりＣＥＣ制御による機器制御機能を使用する「使用」と設定されている場合、コマンド送信を行い、ＣＥＣ連動設定が「ＯＦＦ」、つまりＣＥＣ制御による機器制御機能を使用しない「不使用」と設定されていた場合、コマンドを送信しない。この例では、ＣＥＣ連動設定が「ＯＮ」、つまりＣＥＣ制御による機器制御機能を使用する「使用」と設定されているものとする。
【００３７】
ＨＤＭＩ入力端子１８には、外部接続機器として、例えばＡＶアンプ５０等が汎用のＨＤＭＩケーブル７を介して着脱自在に接続される。ＡＶアンプ５０には、Ｓ／ＰＤＩＦ用の端子５５、アナログ入力端子５６と、ＨＤＭＩ入力端子５７等が設けられている。
【００３８】
Ｓ／ＰＤＩＦ用の端子５５には、ＴＶ筐体１のＳ／ＰＤＩＦ端子２０からのＳ／ＰＤＩＦケーブルが接続される。アナログ入力端子５６には、ＨＤＭＩ規格に非対応の機器（例えば携帯音楽プレーヤ９などのアナログ音声出力端子）に接続されたアナログ音声信号ケーブル８が接続される。ＨＤＭＩ入力端子５７には、ＨＤＭＩケーブル７を介してＨＤＭＩ対応機器であるレコーダ４が接続されている。
【００３９】
ＣＥＣ制御ユニット４３は、ＨＰＤ信号がアクティブな状態に変化すると、ポートに応じて与えられたＨＤＭＩ機器（レコーダ４）の物理アドレスと、メモリ２１から読み出した一つの通信用の論理アドレスの候補を含めたアドレス取得要求のポーリング動作を、ＨＤＭＩケーブル５を通じて行う。
【００４０】
その後、他のＨＤＭＩ機器（例えばＡＶアンプ５０等）から、候補の論理アドレスが使用中である旨の応答（ACK）が受信されなかった場合、ＣＥＣ制御ユニット４３は、その候補を通信用の論理アドレスとして決定し、決定した論理アドレスとレコーダ４の物理アドレスを含む通信用アドレスをアドレス決定通知に含ませて、ＣＥＣ制御線１３を通じて制御装置３０のＣＥＣ制御ユニット３３へ送信する。
【００４１】
ＨＤＭＩ入力端子１８には外部接続されたＨＤＭＩ機器としてのＡＶアンプ５０が接続されている。ＡＶアンプ５０は、スイッチ５１、アンプ部５２、ＣＥＣ制御ユニット５３、Ｓ／ＰＤＩＦ用の入力端子５５、アナログ音声信号入力用の端子５６、ＨＤＭＩ入力端子５７等を有している。このＡＶアンプ５０は、ＴＶ筐体１からＣＥＣ制御を受けてスピーカ５４へ出力するソース（音声信号）の入力端子を切り換える切換機器である。
【００４２】
スイッチ５１は、ＣＥＣ制御ユニット５３の制御を受けて、外部入力される音声信号の入力端子５５，５６，５７を切り換える。スイッチ５１は、例えばロータリ式の信号切り換えスイッチなどである。
アンプ部５２は、いずれかの入力端子５５，５６，５７から、入力されたデジタル音声データをアナログの音声信号へ変換および増幅、または入力されたアナログ信号を増幅し、増幅したアナログの音声信号を左右のスピーカ５４へ出力する。
【００４３】
ＣＥＣ制御ユニット５３は、ＴＶ筐体１にＡＶアンプ５０が接続されたときに、ＨＰＤ信号がアクティブな状態に変化すると、このＡＶアンプ５０に与えられた物理アドレス（自機の物理アドレス）と、予め設定された論理アドレスの候補とを含めたアドレス取得要求のポーリング動作を、ＨＤＭＩケーブル５，７を通じて行い、他のＨＤＭＩ機器（例えばレコーダ４等）から候補の論理アドレスが使用中である旨の応答（ACK）が受信されなかった場合、その候補を通信用の論理アドレスとして決定し、決定したＡＶアンプ５０の論理アドレスと物理アドレスを含む通信用アドレスをアドレス決定通知に含ませて、ＣＥＣ制御線１３を通じて制御装置３０のＣＥＣ制御ユニット３３へ送信する。
【００４４】
ＣＥＣ制御ユニット５３は、ＣＥＣ制御線１３を通じて受信された制御コマンドにより、スイッチ５１を制御して、外部から入力される音声信号の入力端子５５，５６，５７を切り換える。
【００４５】
例えば信号の入力端子を入力端子５７に切り換えて、レコーダ４からの音声信号をスピーカ５４から出力中に、視聴者がリモコン９０にて、ディスプレイ３７に機器操作メニュー画面（ＡＶアンプ）を表示させて、例えば「入力切換」の操作を行うと、システム制御ユニット３３からＣＥＣ制御ユニット３３へ「入力切換」の指示が行われて、ＣＥＣ制御ユニット３３は、この指示に従い端子を切り換えるための制御コマンドを、ＣＥＣ制御線１３を通じてＡＶアンプ５０へ送る。
【００４６】
ＡＶアンプ５０では、ＴＶ筐体１からＣＥＣ制御線１３を通じて端子を切り換えるためのコマンドが受信された場合、ＣＥＣ制御ユニット５３が、信号の入力端子を端子５６へ切り換える。これにより、携帯音楽プレーヤ９から入力されたアナログの音声信号がスピーカ５４へ出力されるようになる。
【００４７】
ＡＶアンプ５０のＨＤＭＩ入力端子５７には外部接続のＨＤＭＩ機器としてのレコーダ４が接続されている。レコーダ４は、ＣＥＣ制御ユニット４３、録画再生部４５などを有している。ＣＥＣ制御ユニット４３は、上記ＡＶアンプ５０と同様にＣＥＣ制御線１３を通じて制御装置３０のＣＥＣ制御ユニット３３とコマンドをやりとりし、操作権をＴＶ側へ切り換える等の動作を行う。録画再生部４５はＴＶチューナーなどを備え、テレビ放送を受信しテレビ番組の録画と再生動作を行い、再生した映像信号と音声信号をＡＶアンプ５０へ出力する。
【００４８】
以下、この実施形態のＴＶシステムの動作を説明する。まず図２を参照してＡＶアンプ５０に対する入力端子切換動作を説明する。
（入力切換動作）図２はディスプレイ３７に表示したメニュー画面でのリモコン操作による入力切換動作（ＡＶアンプの入力端子切換動作）を示す図である。
【００４９】
このＴＶシステムでは、家庭の壁コンセントなどの商用電源に、このＴＶ筐体１から引き出されたＡＣコンセントが差し込まれ、ＴＶ筐体内の電源ユニット（図示せず）に一次電源が供給されると、電源ユニットから動作用の電力がＴＶユニット３へ供給される。
【００５０】
電源ユニットから動作用の電力がＴＶユニット３へ供給されると、ＴＶユニット３では、ＨＤＭＩレシーバ３２がＡＶアンプ５０とＣＥＣ制御線１３を通じた信号のやりとりによりＡＶアンプ５０およびレコーダ４の接続を検出し、それをシステム制御ユニット３１へ通知する。システム制御ユニット３１は、機器選択メニュー画面にて機器選択を可能とするよう該当機器名をアクティブにする。以下の画面制御動作はシステム制御ユニット３１が行うものである。
【００５１】
ここで、視聴者がリモコン９０を操作して、ディスプレイ３７に、図２に示すように、入力切換画面７１を表示させると、入力切換画面７１には、現在切り替え可能な項目一覧７２に、例えば「地デジ０１１」、「ＨＤＭＩ１」、「ＨＤＭＩ２」…等の項目が表示される。
【００５２】
視聴者がリモコン９０にて、項目一覧７２の「ＨＤＭＩ１」を選択操作すると（ステップＳ１０１）、「ＡＶアンプを操作」７４と「レコーダを操作」７５の項目が表示された第２階層の機器選択メニュー７３が表示される。つまりこの機器操作メニュー７３（の画面）には、ＨＤＭＩ対応機器間で入力切換の操作権を相互に切り替えるための項目が設けられている。
【００５３】
さらに、視聴者がリモコン９０にて、この機器選択メニュー７３の「ＡＶアンプを操作」７４を選択操作すると（ステップＳ１０１）、機器毎の機器操作メニューであるＡＶアンプの機器操作メニュー７６が表示される。
【００５４】
機器操作メニュー７６には、ＡＶアンプ５０の機能制御が可能な項目として、例えば入力端子の切換制御を示す「入力切換」７７、他のＨＤＭＩ機器への切換制御を示す「レコーダを操作」７８が表示され、これらの項目の横には、ラスト入力された端子である「ＡＶアンプ入力端子３」などの入力端子の名称（項目）７９が表示される。
【００５５】
ここで、ＡＶアンプ５０のＳ／ＰＤＩＦ用の入力端子５５は、画面の項目の「ＡＶアンプ入力端子１」に対応し、アナログ信号の入力端子５６は、画面の項目の「ＡＶアンプ入力端子２」に対応し、ＨＤＭＩ入力端子５７は、画面の項目の「ＡＶアンプ入力端子３」に対応しているものとする。
【００５６】
メモリ３４にはラスト入力された端子として、ＨＤＭＩ入力端子５７の設定が保持されており、この設定では、ＨＤＭＩ入力端子５７に接続されているレコーダ４からの映像信号と音声信号がＡＶアンプ５０に入力され、スピーカ５４より出力される。
【００５７】
ここで、視聴者がリモコン９０にて、機器操作メニュー７６の「入力切換」７７を選択操作すると（ステップＳ１０２）、機器操作メニュー７６の自体の項目（「入力切換」７７，「レコーダを操作」７８）は変わらず、これらの項目の横に、ＡＶアンプ５０の側で切り替えられる次の入力端子を示す「ＡＶアンプ入力端子１」などの名称（項目）８０が表示される。
【００５８】
「ＡＶアンプ入力端子１」の設定では、ＡＶアンプ５０における信号の入力端子は、Ｓ／ＰＤＩＦ用の入力端子５５に切り替えられ、テレビ音声がスピーカ５４より出力される。
【００５９】
続いて、視聴者がリモコン９０にて、機器操作メニュー７６の「入力切換」７７を選択操作すると（ステップＳ１０３）、機器操作メニュー７６の自体の項目（「入力切換」７７，「レコーダを操作」７８）は変わらず、これらの項目の横に、切り替えられた次の入力端子を示す「ＡＶアンプ入力端子２」などの名称（項目）８１が表示される。
【００６０】
「ＡＶアンプ入力端子２」の設定では、ＡＶアンプ５０における信号の入力端子は、アナログ信号の入力端子５６へ切り替えられ、ＨＤＭＩ非対応の機器である携帯音楽プレーヤ９の音声（音楽）がスピーカ５４より出力されるようになる。
【００６１】
さらに、視聴者がリモコン９０にて、機器操作メニュー７６の「入力切換」７７を選択操作すると（ステップＳ１０４）、機器操作メニュー７６の自体の項目（「入力切換」７７，「レコーダを操作」７８）は変わらず、これらの項目の横に、切り替えられた次の入力端子を示す「ＡＶアンプ入力端子３」などの名称（項目）７９が表示される。
【００６２】
ＡＶアンプ５０における信号の入力端子が一通り切り替えられ、初期の入力端子５７に戻され、レコーダ４からの映像信号と音声信号がＡＶアンプ５０に入力され、レコーダ４により再生された音声がスピーカ５４より出力される。以降、「入力切換」７７を操作する毎に、入力端子を示す項目がサイクリックに切り替えられる。
【００６３】
次に、図３の画面遷移図を参照してＴＶ筐体１に外部接続された各ＨＤＭＩ機器の機器操作メニューから他のＨＤＭＩ機器へ操作権を直接移す（切り換える）際の動作を説明する。
【００６４】
視聴者がリモコン９０を操作して、ディスプレイ３７に、図３に示すように、入力切換画面７１を表示させると、入力切換画面７１には、現在切り替え可能な項目一覧７２に、例えば「地デジ０１１」、「ＨＤＭＩ１」、「ＨＤＭＩ２」…等の項目が表示される。
【００６５】
視聴者がリモコン９０にて、項目一覧７２の「ＨＤＭＩ１」を選択操作すると（ステップＳ１０１）、「ＡＶアンプを操作」７４と「レコーダを操作」７５との２つの項目が表示された第２階層の機器選択メニュー７３が表示される。
【００６６】
さらに、視聴者がリモコン９０にて、この機器選択メニュー７３の「レコーダを操作」７５を選択操作すると（ステップＳ２０１）、機器毎の機器操作メニューであるレコーダの機器操作メニュー９１が表示される。
【００６７】
この機器操作メニュー９１には、例えば「リンクメニュー」、「番組表」、「番組選択」、「予約一覧」、「セットアップメニュー」、「ドライブ切換」、「画面表示」、「電源」、「ＡＶアンプを操作」９２などといったレコーダ４の機能制御が可能な項目が表示される。
【００６８】
続いて、視聴者がリモコン９０にて、機器操作メニュー９１の「ＡＶアンプを操作」９２を選択操作すると（ステップＳ２０２）、システム制御ユニット３１により画面が切り換えられて、図２で示したＡＶアンプ５０の機能を制御するための機器操作メニュー７６が表示される。
【００６９】
さらに、この機器操作メニュー７６の「レコーダを操作」７８を選択操作すると（ステップＳ２０３）、システム制御ユニット３１により画面が切り換えられて、元のレコーダ４の機能を制御するための機器操作メニュー９１が表示される。
【００７０】
以上のようにこの実施形態のＴＶシステムによれば、ＨＤＭＩ対応機器（ＴＶ筐体１）に設けたＨＤＭＩ入力端子１８からＨＤＭＩのＣＥＣ規格に準拠した制御コマンドをＨＤＭＩケーブル５，７を通じてＡＶアンプ５０へ送ることで、ＡＶアンプ５０に設けられたＨＤＭＩ入力端子５７とＨＤＭＩ非対応の入力端子５５，５６とを切り換えるスイッチ５１の切り換え制御を行うことで、ＴＶ筐体１にＨＤＭＩケーブル７を介して接続された機器であるＡＶアンプ５０に、携帯音楽プレーヤ９から入力される音声信号を、ＴＶ筐体１の側（リモコン９０）からの制御で切り換えることができる。
【００７１】
すなわち、ＨＤＭＩ対応機器どうし（ＴＶ筐体１とＡＶアンプ５０）を接続し、一方のＨＤＭＩ対応機器（ＡＶアンプ５０）に設けた信号切換用のスイッチ５１を制御することで、ＨＤＭＩ非対応の機器（携帯音楽プレーヤ９）からＨＤＭＩ対応機器（ＡＶアンプ５０）に入力される信号とＨＤＭＩ対応機器（レコーダ４）からの信号とを切り換えることで、あたかもＴＶの側からＨＤＭＩ対応機器（レコーダ４）とＨＤＭＩ非対応の機器（携帯音楽プレーヤ９）を制御しているのと同じ効果が得られる。
【００７２】
なお、本願発明は、上記実施形態のみに限定されるものではなく、実施段階ではその要旨を逸脱しない範囲で構成要素を変形してもよい。上記実施形態で説明した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア（Removable media）等が含まれる。さらに、ネットワークを介して接続した異なるコンピュータに構成要素を分散して記憶し、各構成要素を機能させたコンピュータ間で通信することで実現してもよい。
【符号の説明】
【００７３】
１…ＴＶ筺体、３…ＴＶユニット、４…レコーダ、５，６，７…ＨＤＭＩケーブル、８…アナログ音声ケーブル、９…携帯音楽プレーヤ、９０…リモートコントローラ（リモコン）、１０…受付ユニット、１８，１９，５７…ＨＤＭＩ入力端子、１３…ＣＥＣ制御線、３３，４３，５３…ＣＥＣ制御ユニット、３０…制御装置、３１…システム制御ユニット、３２…ＨＤＭＩレシーバ、３４…メモリ、３７…ディスプレイ、２０…Ｓ／ＰＤＩＦ用の端子、５０…ＡＶアンプ、５４…スピーカ。
【図１】
2011217126.tif 000003
【図２】
2011217126.tif 000004
【図３】
2011217126.tif 000005
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
ＨＤＭＩ（High-Definition Multimedia Interface）対応の機器にＨＤＭＩケーブルを介して接続可能なＨＤＭＩ端子と、
前記機器に音声信号用のケーブルを介して接続可能であり前記ＨＤＭＩ端子とは異なる音声出力インターフェースと、
前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の音声入力端子とを切り換えるスイッチの切り換え制御を行う制御ユニットと、
ディスプレイと、
前記機器に対し、他の機器からの入力信号の入力端子を切り替るための機器操作メニューを前記ディスプレイに表示する表示制御ユニットと、
リモコンまたはこの装置本体に設けられた操作部からの前記機器の入力切換操作による制御信号を受け付ける受付ユニットとを備え、
前記表示制御ユニットは、
前記受付ユニットにより受け付けられた制御信号に従い、前記機器操作メニュー画面で入力切換操作がなされた前記機器の入力端子をサイクリックに切り換えるための制御コマンドを送信することを特徴とする映像・音声処理装置。
【請求項２】
前記音声出力インターフェースが、Ｓ／ＰＤＩＦ端子であることを特徴とする請求項１記載の映像・音声処理装置。
【請求項３】
前記Ｓ／ＰＤＩＦ端子には、同軸ケーブルまたは光ファイバーケーブルを介して前記機器の前記音声入力端子が接続されることを特徴とする請求項２記載の映像・音声処理装置。
【請求項４】
入力された映像・音声のデータを再生処理し、映像信号を前記ディスプレイに出力し、音声信号を前記音声出力インターフェースへ出力する映像・音声処理ユニットを具備することを特徴とする請求項１記載の映像・音声処理装置。
【請求項５】
前記機器操作メニュー画面に、前記ＨＤＭＩ対応機器間で入力切換の操作権を相互に切り替えるための項目を設けたことを特徴とする請求項１記載の映像・音声処理装置。
【請求項６】
ラスト入力された入力端子の設定を保持するメモリを備え、
前記表示制御ユニットは、前記機器操作メニュー画面を表示する際に前記メモリに保持されている、ラスト入力された入力端子の名称または項目を表示することを特徴とする請求項１記載の映像・音声処理装置。
【請求項７】
ＨＤＭＩ（High-Definition Multimedia Interface）対応の機器にＨＤＭＩケーブルを介して接続可能なＨＤＭＩ端子と、前記機器に音声信号用のケーブルを介して接続可能であり前記ＨＤＭＩ端子とは異なる音声出力インターフォースと、ディスプレイと、前記機器に対し、他の機器からの入力信号の入力端子を切り替るための機器操作メニューを前記ディスプレイに表示する表示制御ユニットと、リモコンまたはこの装置本体に設けられた操作部からの前記機器の入力切換操作による制御信号を受け付ける受付ユニットと、制御ユニットとを有する映像・音声処理装置における映像・音声処理方法であって、
前記制御ユニットは、前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の音声入力端子とを切り換えるスイッチの切り換え制御を行い、
前記表示制御ユニットは、
前記受付ユニットにより受け付けられた制御信号に従い、前記機器操作メニュー画面で入力切換操作がなされた前記機器の入力端子をサイクリックに切り換えるための制御コマンドを送信することを特徴とする映像・音声処理方法。
【手続補正２】
【補正対象書類名】明細書
【補正対象項目名】００１０
【補正方法】変更
【補正の内容】
【００１０】
本発明の一実施形態に係る映像・音声処理装置は、ＨＤＭＩ（High-Definition Multimedia Interface）対応の機器にＨＤＭＩケーブルを介して接続可能なＨＤＭＩ端子と、前記機器に音声信号用のケーブルを介して接続可能であり前記ＨＤＭＩ端子とは異なる音声出力インターフォースと、前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の音声入力端子とを切り換えるスイッチの切り換え制御を行う制御ユニットと、ディスプレイと、前記機器に対し、他の機器からの入力信号の入力端子を切り替るための機器操作メニューを前記ディスプレイに表示する表示制御ユニットと、リモコンまたはこの装置本体に設けられた操作部からの前記機器の入力切換操作による制御信号を受け付ける受付ユニットとを備え、前記表示制御ユニットは、前記受付ユニットにより受け付けられた制御信号に従い、前記機器操作メニュー画面で入力切換操作がなされた前記機器の入力端子をサイクリックに切り換えるための制御コマンドを送信することを特徴とする。
【手続補正３】
【補正対象書類名】明細書
【補正対象項目名】００１１
【補正方法】変更
【補正の内容】
【００１１】
本発明の一実施形態に係る映像・音声処理方法は、ＨＤＭＩ（High-Definition Multimedia Interface）対応の機器にＨＤＭＩケーブルを介して接続可能なＨＤＭＩ端子と、前記機器に音声信号用のケーブルを介して接続可能であり前記ＨＤＭＩ端子とは異なる音声出力インターフォースと、ディスプレイと、前記機器に対し、他の機器からの入力信号の入力端子を切り替るための機器操作メニューを前記ディスプレイに表示する表示制御ユニットと、リモコンまたはこの装置本体に設けられた操作部からの前記機器の入力切換操作による制御信号を受け付ける受付ユニットと、制御ユニットとを有する映像・音声処理装置における映像・音声処理方法であって、前記制御ユニットは、前記ＨＤＭＩのＣＥＣ（Consumer Electronics Control）規格に準拠した制御コマンドを、前記ＨＤＭＩ端子から前記ＨＤＭＩケーブルを通じて前記機器へ送ることで、前記機器に設けられたＨＤＭＩ対応の入力端子とＨＤＭＩ非対応の音声入力端子とを切り換えるスイッチの切り換え制御を行い、前記表示制御ユニットは、前記受付ユニットにより受け付けられた制御信号に従い、前記機器操作メニュー画面で入力切換操作がなされた前記機器の入力端子をサイクリックに切り換えるための制御コマンドを送信することを特徴とする。